(57)【要約】【課題】撮影者の著作権やプライバシーを確実に保護する。【解決手段】CCD１１は、被写体を撮影する。ユーザ情報取得部１６は、撮影時に、所定のタイミングでユーザの情報を取得する。制御部１７は、ユーザ情報取得部１６により取得された撮影者であるユーザの情報を表すユーザデータに基づいて、撮影者データを生成し、記録データ合成部１３に供給する。記録部３１は、撮影者データを、CCD１１により撮影された結果得られる画像データに付加してデジタルビデオテープ２に記録させる。本発明は、例えば、デジタルビデオテープレコーダに適用することができる。【選択図】図１
2006180184.tif 000002
【特許請求の範囲】
【請求項１】
被写体を撮影する撮影装置において、
被写体を撮影する撮影手段と、
前記撮影手段による撮影時に、所定のタイミングでユーザの情報を取得する取得手段と、
前記取得手段により取得された情報を、前記撮影手段により撮影された結果得られる画像データに付加して記録させる記録制御手段と
を備えることを特徴とする撮影装置。
【請求項２】
前記情報は、前記ユーザの指紋、掌紋、静脈、虹彩、または網膜の情報である
ことを特徴とする請求項１に記載の撮影装置。
【請求項３】
ユーザから操作を受け付ける受付手段
をさらに備え、
前記受付手段は、前記画像データに対する処理の制限を表す制限情報の入力の操作を受け付け、
前記記録制御手段は、前記画像データに付加して、前記制限情報も記録させる
ことを特徴とする請求項１に記載の撮影装置。
【請求項４】
被写体を撮影する撮影装置の撮影方法において、
被写体を撮影する撮影ステップと、
前記撮影ステップの処理による撮影時に、所定のタイミングでユーザの情報を取得する取得ステップと、
前記取得ステップの処理により取得された情報を、前記撮影ステップの処理により撮影された結果得られる画像データに付加して記録させる記録制御ステップと
を含むことを特徴とする撮影方法。
【請求項５】
被写体を撮影する処理を、コンピュータに行わせるプログラムにおいて、
被写体を撮影する撮影ステップと、
前記撮影ステップの処理による撮影時に、所定のタイミングでユーザの情報を取得する取得ステップと、
前記取得ステップの処理により取得された情報を、前記撮影ステップの処理により撮影された結果得られる画像データに付加して記録させる記録制御ステップと
を含むことを特徴とするプログラム。
【請求項６】
撮影者の情報が付加された画像データを再生する再生装置において、
ユーザの情報を取得する取得手段と、
前記撮影者の情報が付加された画像データを再生する再生手段と、
前記取得手段により取得されたユーザの情報と、前記再生手段により再生された撮影者の情報とが一致する場合、前記画像データに対する処理を許可する許可手段と
を備えることを特徴とする再生装置。
【請求項７】
前記画像データには、その画像データに対する処理の制限を表す制限情報が、さらに付加されており、
前記再生手段は、前記撮影者の情報と前記制限情報が付加された画像データを再生し、
前記許可手段は、前記再生手段により再生された制限情報に基づいて、前記画像データに対する処理が制限されているかどうかを判定し、前記画像データに対する処理が制限されていると判定した場合、かつ前記取得手段により取得されたユーザの情報と、前記再生手段により再生された撮影者の情報とが一致する場合、前記画像データに対する処理を許可する
ことを特徴とする請求項６に記載の再生装置。
【請求項８】
前記情報は、前記ユーザの指紋、掌紋、静脈、虹彩、または網膜である
ことを特徴とする請求項６に記載の再生装置。
【請求項９】
撮影者の情報が付加された画像データを再生する再生装置の再生方法において、
ユーザの情報を取得する取得ステップと、
前記撮影者の情報が付加された画像データを再生する再生ステップと、
前記取得ステップの処理により取得されたユーザの情報と、前記再生ステップの処理により再生された撮影者の情報とが一致する場合、前記画像データに対する処理を許可する許可ステップと
を含むことを特徴とする再生方法。
【請求項１０】
撮影者の情報が付加された画像データを再生する再生処理を、コンピュータに行わせるプログラムにおいて、
ユーザの情報を取得する取得ステップと、
前記撮影者の情報が付加された画像データを再生する再生ステップと、
前記取得ステップの処理により取得されたユーザの情報と、前記再生ステップの処理により再生された撮影者の情報とが一致する場合、前記画像データに対する処理を許可する許可ステップと
を含むことを特徴とするプログラム。
【発明の詳細な説明】
【技術分野】
【０００１】
本発明は、撮影装置および撮影方法、再生装置および再生方法、並びにプログラムに関し、特に、撮影者の著作権やプライバシーを確実に保護することができるようにするに撮影装置および撮影方法、再生装置および再生方法、並びにプログラムに関する。
【背景技術】
【０００２】
近年、急速に普及しつつあるデジタルビデオカメラは、CCD（Charge Coupled Device）センサなどの撮像素子により得られた画像のアナログ信号に対して、A/D変換やフォーマット変換などの所定の処理を行い、処理後のデジタルデータである画像データを、メモリカード、テープ、ディスクなどの記録媒体に記録する装置である。
【０００３】
ユーザは、パーソナルコンピュータなどを用いることにより、デジタルビデオカメラにより記録媒体に記録された画像データに対して、修正、加工、または印刷などを容易に行うことができる。
【０００４】
ここで、デジタルビデオカメラは、複数の人間によって利用される場合が多い。しかしながら、従来のデジタルビデオカメラでは、デジタルビデオカメラ、または撮影の結果得られる画像データを記録する記録媒体が同一である場合、画像を撮影した撮影者を特定することは困難である。
【０００５】
従って、画像を撮影した撮影者以外のユーザが、その画像の画像データに対して、修正、加工、または印刷などを行うことを防止することは困難である。即ち、画像を撮影した撮影者以外のユーザも、その画像の画像データに対して、修正、加工、または印刷などを容易に行うことが可能である。その結果、撮影者の著作権やプライバシーを十分に保護することは困難となる。
【０００６】
そこで、ユーザの虹彩画像を登録したＩＤカードが装着され、電源の投入時に、そのＩＤカードに記録されている虹彩画像と、撮影者の虹彩画像とが一致するかどうかを判定し、一致する場合に、その一致した虹彩画像を、電源がオフとされるまでの間に撮影の結果得られた画像に、合成または付帯する画像撮影装置がある（例えば、特許文献１参照）。
【特許文献１】特開２００４−２３７３５号公報
【発明の開示】
【発明が解決しようとする課題】
【０００７】
しかしながら、特許文献１に記載されている画像撮影装置では、ＩＤカードに記録されているユーザの虹彩画像と、撮影者の虹彩画像とが一致すると判定された場合、電源がオフとされるまでの間に撮影の結果得られた画像すべてに、その一致した虹彩画像が合成または付帯される。
【０００８】
従って、電源が投入されてから、電源がオフされるまでの間に、撮影者が交代した場合であっても、交代後に撮影された結果得られる画像には、電源が投入されたときの撮影者の虹彩情報が合成または付帯され、交代後の撮影者の著作権やプライバシーを保護することは困難である。即ち、電源が投入されたときの撮影者以外の撮影者の著作権やプライバシーを保護することは困難である。
【０００９】
本発明は、このような状況に鑑みてなされたものであり、撮影者の著作権やプライバシーを確実に保護することができるようにするものである。
【課題を解決するための手段】
【００１０】
本発明の撮影装置は、被写体を撮影する撮影手段と、撮影手段による撮影時に、所定のタイミングでユーザの情報を取得する取得手段と、取得手段により取得された情報を、撮影手段により撮影された結果得られる画像データに付加して記録させる記録制御手段とを備えることを特徴とする。
【００１１】
情報は、ユーザの指紋、掌紋、静脈、虹彩、または網膜の情報であるようにすることができる。
【００１２】
撮影装置には、ユーザから操作を受け付ける受付手段をさらに設け、受付手段は、画像データに対する処理の制限を表す制限情報の入力の操作を受け付け、記録制御手段は、画像データに付加して、制限情報も記録させることができる。
【００１３】
本発明の撮影方法は、被写体を撮影する撮影ステップと、撮影ステップの処理による撮影時に、所定のタイミングでユーザの情報を取得する取得ステップと、取得ステップの処理により取得された情報を、撮影ステップの処理により撮影された結果得られる画像データに付加して記録させる記録制御ステップとを含むことを特徴とする。
【００１４】
本発明のプログラムは、被写体を撮影する撮影ステップと、撮影ステップの処理による撮影時に、所定のタイミングでユーザの情報を取得する取得ステップと、取得ステップの処理により取得された情報を、撮影ステップの処理により撮影された結果得られる画像データに付加して記録させる記録制御ステップとを含むことを特徴とする。
【００１５】
本発明の再生装置は、ユーザの情報を取得する取得手段と、撮影者の情報が付加された画像データを再生する再生手段と、取得手段により取得されたユーザの情報と、再生手段により再生された撮影者の情報とが一致する場合、画像データに対する処理を許可する許可手段とを備えることを特徴とする。
【００１６】
画像データには、その画像データに対する処理の制限を表す制限情報が、さらに付加されており、再生手段は、撮影者の情報と制限情報が付加された画像データを再生し、許可手段は、再生手段により再生された制限情報に基づいて、画像データに対する処理が制限されているかどうかを判定し、画像データに対する処理が制限されていると判定した場合、かつ取得手段により取得されたユーザの情報と、再生手段により再生された撮影者の情報とが一致する場合、画像データに対する処理を許可することができる。
【００１７】
情報は、ユーザの指紋、掌紋、静脈、虹彩、または網膜であるようにすることができる。
【００１８】
本発明の再生方法は、ユーザの情報を取得する取得ステップと、撮影者の情報が付加された画像データを再生する再生ステップと、取得ステップの処理により取得されたユーザの情報と、再生ステップの処理により再生された撮影者の情報とが一致する場合、画像データに対する処理を許可する許可ステップとを含むことを特徴とする。
【００１９】
本発明のプログラムは、ユーザの情報を取得する取得ステップと、撮影者の情報が付加された画像データを再生する再生ステップと、取得ステップの処理により取得されたユーザの情報と、再生ステップの処理により再生された撮影者の情報とが一致する場合、画像データに対する処理を許可する許可ステップとを含むことを特徴とする。
【００２０】
本発明においては、被写体を撮影し、撮影時に、所定のタイミングでユーザの情報を取得し、そのユーザの情報を、撮影された結果得られる画像データに付加して記録させる。
【発明の効果】
【００２１】
本発明によれば、撮影者の著作権やプライバシーを確実に保護することができる。
【発明を実施するための最良の形態】
【００２２】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２３】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２４】
請求項１に記載の撮影装置は、
被写体を撮影する撮影装置（例えば、図１のデジタルビデオテープレコーダ１）において、
被写体を撮影する撮影手段(例えば、図１のCCD１１)と、
前記撮影手段による撮影時に、所定のタイミングでユーザの情報を取得する取得手段(例えば、図１のユーザ情報取得部１６)と、
前記取得手段により取得された情報を、前記撮影手段により撮影された結果得られる画像データに付加して記録させる記録制御手段(例えば、図１の記録部３１)と
を備えることを特徴とする。
【００２５】
請求項３に記載の撮影装置は、
ユーザから操作を受け付ける受付手段(例えば、図１の操作部１８)
をさらに備え、
前記受付手段は、前記画像データに対する処理の制限を表す制限情報の入力の操作を受け付け(例えば、図８のステップＳ６の処理)、
前記記録制御手段は、前記画像データに付加して、前記制限情報も記録させる(例えば、図９のステップＳ３０の処理)
ことを特徴とする。
【００２６】
請求項４に記載の撮影方法は、
被写体を撮影する撮影装置の撮影方法において、
被写体を撮影する撮影ステップ(例えば、図９のステップＳ２１)と、
前記撮影ステップの処理による撮影時に、所定のタイミングでユーザの情報を取得する取得ステップ(例えば、図９のステップＳ２６)と、
前記取得ステップの処理により取得された情報を、前記撮影ステップの処理により撮影された結果得られる画像データに付加して記録させる記録制御ステップ(例えば、図９のステップＳ３０)と
を含むことを特徴とする。
【００２７】
請求項５に記載のプログラムは、
被写体を撮影する処理を、コンピュータに行わせるプログラムにおいて、
被写体を撮影する撮影ステップ(例えば、図９のステップＳ２１)と、
前記撮影ステップの処理による撮影時に、所定のタイミングでユーザの情報を取得する取得ステップ(例えば、図９のステップＳ２６)と、
前記取得ステップの処理により取得された情報を、前記撮影ステップの処理により撮影された結果得られる画像データに付加して記録させる記録制御ステップ(例えば、図９のステップＳ３０)と
を含むことを特徴とする。
【００２８】
請求項６に記載の再生装置は、
撮影者の情報が付加された画像データ(例えば、記録データ)を再生する再生装置(例えば、図１のデジタルビデオテープレコーダ１)において、
ユーザの情報を取得する取得手段（例えば、図１のユーザ情報取得部１６）と、
前記撮影者の情報が付加された画像データを再生する再生手段(例えば、図１の再生部３２)と、
前記取得手段により取得されたユーザの情報と、前記再生手段により再生された撮影者の情報とが一致する場合、前記画像データに対する処理を許可する許可手段(例えば、図１の制御部１７)と
を備えることを特徴とする。
【００２９】
請求項７に記載の再生装置は、
前記画像データには、その画像データに対する処理の制限を表す制限情報が、さらに付加されており、
前記再生手段は、前記撮影者の情報と前記制限情報が付加された画像データを再生し（例えば、図１０のステップＳ４５の処理）、
前記許可手段は、前記再生手段により再生された制限情報に基づいて、前記画像データに対する処理が制限されているかどうかを判定し、前記画像データに対する処理が制限されていると判定した場合、かつ前記取得手段により取得されたユーザの情報と、前記再生手段により再生された撮影者の情報とが一致する場合、前記画像データに対する処理を許可する(例えば、図１０のステップＳ５０の処理)
ことを特徴とする。
【００３０】
請求項９に記載の再生方法は、
撮影者の情報が付加された画像データを再生する再生装置の再生方法において、
ユーザの情報を取得する取得ステップ（例えば、図１０のステップＳ４４）と、
前記撮影者の情報が付加された画像データを再生する再生ステップ（例えば、図１０のステップＳ４５）と、
前記取得ステップの処理により取得されたユーザの情報と、前記再生ステップの処理により再生された撮影者の情報とが一致する場合、前記画像データに対する処理を許可する許可ステップ(例えば、図１０のステップＳ５０)と
を含むことを特徴とする。
【００３１】
請求項１０に記載のプログラムは、
撮影者の情報が付加された画像データを再生する再生処理を、コンピュータに行わせるプログラムにおいて、
ユーザの情報を取得する取得ステップ(例えば、図１０のステップＳ４４)と、
前記撮影者の情報が付加された画像データを再生する再生ステップ（例えば、図１０のステップＳ４５）と、
前記取得ステップの処理により取得されたユーザの情報と、前記再生ステップの処理により再生された撮影者の情報とが一致する場合、前記画像データに対する処理を許可する許可ステップ(例えば、図１０のステップＳ５０)と
を含むことを特徴とする。
【００３２】
以下、本発明を適用した具体的な実施の形態について、図面を参照しながら詳細に説明する。
【００３３】
図１は、本発明を適用したデジタルビデオテープレコーダ１の第１実施の形態の構成例を示すブロック図である。
【００３４】
図１のデジタルビデオテープレコーダ１には、必要に応じて、デジタルビデオテープ２が装着されたり、接続線３を介してパーソナルコンピュータ（ＰＣ）４が接続される。接続線３は、有線でも無線でもよく、その実施の形態は特に限定されないが、以下では、例えば、i.LINK(商標)の専用ケーブルとされる。即ち、例えば、デジタルビデオテープレコーダ１とＰＣ４は、i.LINKにより接続される。i.LINKは、本願出願人であるソニー株式会社の商標であり、IEEE(Institute of Electrical and Electronics Engineers)1394の高速デジタルシリアルインターフェースである。従って、デジタルビデオテープレコーダ１とＰＣ４のそれぞれは、IEEE1394の規格に準拠するデータ(パケットに格納されているデータ)を相互に送受信する。
【００３５】
デジタルビデオテープレコーダ１は、CCD１１、マイクロフォン１２、記録データ合成部１３、記録再生部１４、ヘッド１５、ユーザ情報取得部１６、制御部１７、操作部１８、記憶部１９、i.LINK２０、再生データ分離部２１、スピーカ２２、およびLCD(Liquid Crystal Display)２３から構成され、画像や音声のデータを、デジタルビデオテープ２に記録したり、デジタルビデオテープ２に記録されている画像や音声（のデータ）を出力する。
【００３６】
CCD１１は、制御部１７の制御により、被写体を動画像として撮影し、その動画像のアナログ信号である画像信号を、記録データ合成部１３に供給する。
【００３７】
マイクロフォン１２は、CCD１１が撮影した時点のデジタルビデオテープレコーダ１の周囲の音声を取得し、その音声のアナログ信号である音声信号を、記録データ合成部１３に供給する。
【００３８】
記録データ合成部１３は、CCD１１からの画像信号およびマイクロフォン１２からの音声信号に対して、A/D（Analog/Digital）変換を行う。記録データ合成部１３は、変換後の画像信号である画像データ、変換後の音声信号である音声データ、並びに制御部１７から供給される撮影者を表す撮影者データおよびデジタルビデオテープ２に記録されている記録データを再生する場合における処理の制限の情報を表す制限データを合成し、エンコードして、記録データとして、記録再生部１４に供給する。
【００３９】
記録再生部１４は、記録部３１と再生部３２から構成される。記録再生部１４の記録部３１は、制御部１７の制御により、記録データ合成部１３からの記録データを、変調して、ヘッド１５を介して、デジタルビデオテープ２に記録させる。再生部３２は、デジタルビデオテープ２からヘッド１５を介して再生された記録データを、再生データとして、i.LINK２０または再生データ分離部２１に供給する。記録部３１または再生部３２は、垂直同期信号を制御部１７に供給する。
【００４０】
ユーザ情報取得部１６は、例えば、指紋、掌紋、静脈、虹彩、または網膜センサから構成され、制御部１７の制御により、ユーザの指紋、掌紋、静脈、虹彩、または網膜の情報を、ユーザ情報として取得する。例えば、ユーザ情報取得部１６は、デジタルビデオテープレコーダ１の図示せぬ筐体の任意の位置(例えば、グリップ、ファインダ内など)に配置される。ユーザ情報取得部１６は、取得したユーザ情報を表すユーザデータを制御部１７に供給する。
【００４１】
なお、本発明の第１実施の形態では、ユーザ情報取得部１６は、指紋センサであるものとする。この場合、例えば、グリップなどの、ユーザが撮影や再生を行うときに、指を置きやすい場所に、ユーザ情報取得部１６を配置することにより、ユーザ情報取得部１６は、ユーザに意識させずに、ユーザ情報を取得することができる。ユーザは、ユーザ情報取得部１６により、例えば、自分自身の指紋の情報の登録を行うことができる。
【００４２】
制御部１７は、記録再生部１４からの垂直同期信号に同期して、これに対応する制御データを記録再生部１４に供給する。また、制御部１７は、ユーザ情報取得部１６からのユーザデータを、テンプレートとして記憶部１９に記憶させる。さらに、制御部１７は、ユーザ情報取得部１６から供給される撮影者であるユーザのユーザデータに基づいて、撮影者を表す撮影者データを生成し、記録データ合成部１３に供給する。
【００４３】
制御部１７は、ユーザ情報取得部１６から供給されるユーザのユーザデータ、並びに再生データ分離部２１から供給される撮影者データおよび制限データに基づいて、記録データを再生する場合における処理の実行を許可したり、不許可にする。また、制御部１７は、操作部１８からの操作データや、ＰＣ４から接続線３およびi.LINK２０を介して供給される制御データに基づいて、デジタルビデオテープレコーダ１全体の動作を制御する。さらに、制御部１７は、操作部１８からの操作データに基づいて、記録データを再生する場合における処理の制限の情報を表す制限データを生成し、記憶部１９に記憶させる。制御部１７は、ユーザ情報取得部１６からのユーザデータ、並びに記憶部１９に記憶されているユーザデータおよび制限データに基づいて、制限データを記録データ合成部１３に供給する。
【００４４】
操作部１８は、ボタン、スイッチ、もしくは、リモートコントローラなどにより構成され、ユーザにより、所定の指令に対応する入力操作が行われたとき、その入力操作を受け付け、入力操作に対応する操作データを制御部１７に供給する。記憶部１９は、ユーザ情報取得部１６からのユーザデータ、および制御部１７で生成された制限データなどを記憶する。
【００４５】
i.LINK２０は、接続線３を介してＰＣ４と接続され、記録再生部１４（の再生部３２）からの再生データを、接続線３を介して、ＰＣ４に送信する。また、i.LINK２０は、ＰＣ４より送信された制御データを、接続線３を介して受信し、制御部１７に供給する。
【００４６】
再生データ分離部２１は、記録再生部１４からの再生データを復調し、デコードして、音声データ、画像データ、撮影者データ、および制限データに分離する。再生データ分離部２１は、撮影者データと制限データを、制御部１７に供給する。また、再生データ分離部２１は、音声データと画像データをD/A（Digital/Analog）変換し、アナログ信号である音声信号をスピーカ２２に供給し、画像信号をLCD２３に供給する。スピーカ２２は、再生データ分離部２１からの音声信号を音声として出力する。LCD２３は、再生データ分離部２１からの画像信号を、動画像として表示する。
【００４７】
図２は、図１のＰＣ（パーソナルコンピュータ）４のハードウェア構成例を示すブロック図である。
【００４８】
CPU(Central Processing Unit)４１、ROM(Read Only Memory)４２、およびRAM（Random Access Memory）４３は、内部バス４４を介して相互に接続されている。この内部バス４４にはまた、入出力インタフェース４５も接続されている。
【００４９】
入出力インタフェース４５には、キーボード、マウスなどよりなる入力部４６、ディスプレイやスピーカなどよりなる出力部４７、ハードディスクなどより構成される記憶部４８、および接続線３を介してデジタルビデオテープレコーダ１と接続されるi.LINK４９が接続されている。
【００５０】
入出力インタフェース４５にはまた、必要に応じてドライブ５０が接続され、磁気ディスク(フロッピディスクを含む)、光ディスク(CD-ROM（Compact Disc-Read Only Memory)、DVD（Digital Versatile Disk）を含む）、光磁気ディスク（MD（Mini-Disc）(登録商標)を含む）、あるいは半導体メモリからなるリムーバブルメディア５１が適宜装着され、それから読み出されたプログラムが、必要に応じて記憶部４８にインストールされる。
【００５１】
ＰＣ４にインストールされ、ＰＣ４によって実行可能な状態とされるプログラムを格納する記録媒体は、リムーバブルメディア５１などよりなるパッケージメディア、または、プログラムが一時的もしくは永続的に格納されるROM４２や、記憶部４８を構成するハードディスクなどにより構成される。
【００５２】
ＰＣ４では、CPU４１が、記憶部４８にインストールされているプログラムを実行することにより、各種の処理を実行する。
【００５３】
次に、図３を参照して、図１のユーザ情報取得部１６がユーザ情報を取得する方法について説明する。
【００５４】
図３では、ユーザ情報取得部１６は、マニューシャ法により、ユーザの指紋の情報を、ユーザ情報として取得する。なお、指紋の情報を取得する方法は、マニューシャ法に限定されず、例えば、パターンマッチング法などでもよい。ただし、ユーザ情報取得部１６が、マニューシャ法を用いてユーザ情報を取得する場合、パターンマッチング法を用いる場合に比べて、ユーザ情報を表すユーザデータの量を少なくすることができる。
【００５５】
図３に示すように、ユーザ情報取得部１６は、ユーザの指紋の画像を取得し、その画像の中から、指紋の端点、分岐点、中心の点などの特徴点Ａ１乃至Ａ６を抽出する。そして、ユーザ情報取得部１６は、抽出した特徴点Ａ１乃至Ａ６の相対的な位置を表す位置情報を、ユーザ情報として取得する。ここで、位置情報とは、例えば、特徴点Ａ１乃至Ａ６の相対的な位置を数値化したもの（指紋の中心の点を原点とした座標軸上の特徴点Ａ１乃至Ａ６の位置を表す座標値など）である。なお、以下では、特徴点Ａ１乃至Ａ６を区別する必要がない場合、それらをまとめて、特徴点Ａという。
【００５６】
次に、図４Ａと図４Ｂを参照して、図１の操作部１８からの操作データに基づいて、制御部１７が生成する制限データについて説明する。
【００５７】
ユーザが、操作部１８を操作し、自分自身の指紋の情報の登録を指令する場合、ユーザ情報取得部１６は、ユーザ情報を取得し、制御部１７に供給する。制御部１７は、ユーザ情報取得部１６からのユーザ情報に対して、ユーザ固有のＩＤ(以下、ユーザＩＤという)を付し、そのユーザＩＤに対応付けて、ユーザ情報をテンプレートとして記憶部１９に記憶させる。例えば、制御部１７は、ユーザ情報取得部１６から供給される順に、ユーザ情報に対して、１から順にユーザＩＤを付ける。
【００５８】
制御部１７は、例えば、ユーザにより自分自身の指紋の情報の登録が指令され、ユーザ情報取得部１６からユーザデータが供給された場合、そのユーザデータに対して、記録データを再生する場合における処理の制限の情報を設定するための画面を、LCD２３に表示させる。ユーザは、その画面において、操作部１８を操作することにより、制限の情報を設定することができる。
【００５９】
ここで、図４Ａと図４Ｂでは、制限の情報は、記録データを再生して(読み出して)、対応する画像や音声を出力する場合における処理の制限（以下、再生出力制限という）、記録データを再生して、対応する画像データと音声データの編集(上書き、消去など)を行う場合における処理の制限（以下、編集制限という）、および記録データを再生して、対応する画像データと音声データのコピーを行う場合における処理の制限（以下、コピー制限という）を表す情報であるものとする。
【００６０】
図４Ａでは、ユーザＩＤ「００１」のユーザ情報に対して、再生出力制限、編集制限、およびコピー制限の「許可」を表す制限の情報が設定されている。この場合、デジタルビデオテープレコーダ１において、すべてのユーザが、ユーザＩＤ「００１」のユーザが撮影した結果、デジタルビデオテープ２に記録された記録データ、即ち撮影者がユーザＩＤ「００１」のユーザである画像に対応する記録データ（以下、ユーザＩＤ「００１」記録データという）を再生し、対応する画像や音声の出力、もしくは対応する画像データと音声データの編集またはコピーを行うことができる。
【００６１】
即ち、すべての人に対して、ユーザＩＤ「００１」記録データを再生し、再生出力制限、編集制限、またはコピー制限のそれぞれに対応する処理である出力、編集、またはコピーを行うことが、許可されている。
【００６２】
図４Ｂでは、ユーザＩＤ「００３」のユーザ情報に対して、再生出力制限の「許可」、並びに編集制限とコピー制限の「不許可」を表す制限の情報が設定されている。この場合、デジタルビデオテープレコーダ１において、すべてのユーザが、撮影者がユーザＩＤ「００３」のユーザである画像に対応する記録データ（以下、ユーザＩＤ「００３」記録データ）を再生し、対応する画像や音声を出力させることができる。しかしながら、ユーザＩＤ「００３」のユーザ以外のユーザは、ユーザＩＤ「００３」記録データに対応する画像データと音声データを、編集またはコピーすることはできない。
【００６３】
即ち、すべての人に対して、ユーザＩＤ「００３」記録データを再生し、対応する画像や音声の出力を行うことは許可されているが、ユーザＩＤ「００３」以外のユーザ、即ち撮影者以外のユーザに対して、ユーザＩＤ「００３」記録データの編集またはコピーを行うことは許可されていない。
【００６４】
以上のように、制限の情報が「許可」を表す場合、すべてのユーザに対して、その制限の情報に対応するユーザが撮影者の記録データに対する、制限の情報に対応する処理が許可される。一方、制限の情報が「不許可」を表す場合、撮影者以外のユーザに対して、その制限の情報に対応するユーザが撮影者の記録データに対する、制限の情報に対応する処理が許可されない（禁止される）。
【００６５】
次に、図５を参照して、図１のデジタルビデオテープ２の構造を説明する。
【００６６】
図５に示すように、デジタルビデオテープ２は、ビデオセクタ６１やオーディオセクタ６２などから構成される。
【００６７】
ビデオセクタ６１とオーディオセクタ６２は、ＩＤ部、データ部、およびAUXデータ部から構成される。ＩＤ部には、セクタ固有のＩＤが記録される。ビデオセクタ６１のデータ部には、画像データが記録され、オーディオセクタ６２のデータ部には、音声データが記録される。AUX(Auxiliary)データ部には、画像や音声に関するAUXデータ（補助データ）として、撮影者データおよび制限データなどが記録される。
【００６８】
なお、以下では、ビデオセクタ６１とオーディオセクタ６２のデータ部には、フレーム単位の画像データと音声データがそれぞれ記録されるものとし、AUXデータ部には、データ部に記録されているフレーム単位の画像データと音声データに対応する撮影者データおよび制限データなどが記録される。即ち、AUXデータ部には、フレーム単位で、撮影者データおよび制限データが記録される。
【００６９】
デジタルビデオテープ２の画像データと音声データ以外のデータ（AUXデータ、サブコードデータ、カセットメモリなど）から構成されるシステムデータを記録するシステムデータ部は、図６に示すように、メインエリアとオプショナルエリアから構成される。メインエリアは、必ずデータが記録される必須パックエリアと、データが記録されなくてもよい準必須パックエリアから構成される。必須パックエリアには、NTSC(National Television System Committee)、PAL（Phase Alternation by Line）などの画像の出力のフォーマット、音声データの記録方式、サンプリング周波数、量子化ビット数などの記録データを再生して出力するために必要なデータ、撮影に関する設定などの記録データの記録時の情報を表すデータ、およびタイトルタイムコードなどのデジタルビデオテープ２の現在の位置を表すデータが記録される。
【００７０】
準必須パックエリアには、記録データの記録時の年月日（記録年月日）や字分秒(記録時分秒)、字幕などのデータが記録される。
【００７１】
オプショナルエリアは、共通オプションエリアとメーカオプションエリアから構成され、便利さや機能性の向上を図るためのデータが記録される。共通オプションエリアには、デジタルビデオテープ２を製造するメーカ間、デジタルビデオテープ２間で互換性を要求されるデータが記録される。メーカオプションエリアには、デジタルビデオテープ２を製造するメーカ独自のデータであり、互換性を要求されないデータが記録される。
【００７２】
上述した撮影者データと制限データは、例えば、メーカオプションエリアに記録される。
【００７３】
システムデータのデータ構造は、図７に示すように、パック構造となっている。なお、パックとは、所定の情報を表すデータの最小の集まりである。図７に示すように、システムデータのパック７０は、５バイトの固定長となっている。システムデータのパック７０は、１バイト目がパックヘッダ７１であり、残りの４バイトがパックデータ７２である。パックヘッダ７１には、パックデータ７２の内容を表すデータが記録される。パックデータ７２には、例えば、撮影者データや制限データなどのシステムデータが記録される。
【００７４】
次に、図８を参照して、図１のデジタルビデオテープレコーダ１がユーザ情報を登録するユーザ登録処理を説明する。このユーザ登録処理は、例えば、ユーザが、操作部１８を操作し、自分自身の情報の登録を指令したとき、開始される。
【００７５】
ステップＳ１において、ユーザ情報取得部１６は、ユーザの指紋の画像を取得し、ステップＳ２に進む。ステップＳ２において、ユーザの指紋の画像が正常に取得されたかどうかを判定し、ユーザの指紋の画像が正常に取得されていないと判定された場合、ステップＳ１に戻り、ユーザ情報取得部１６は、ユーザの指紋の画像が正常に取得されるまで、ユーザの指紋の画像を取得する処理を繰り返す。
【００７６】
ステップＳ２において、ユーザの指紋の画像が正常に取得されたと判定された場合ステップＳ３に進み、その画像の中から、指紋の端点、分岐点、中心の点などの特徴点Ａ（図３）を抽出する。そして、ユーザ情報取得部１６は、抽出した特徴点Ａの相対的な位置を表す位置情報を取得し、ステップＳ４に進む。
【００７７】
ステップＳ４において、ユーザ情報取得部１６は、位置情報が正常に取得されたかどうか、即ち、例えば、所定の数の特徴点Ａの位置情報を取得することができたかどうかを判定する。なお、この所定の数は、例えば、デジタルビデオテープレコーダ１の製造元により、製造時に、予め設定される。
【００７８】
ステップＳ４において、位置情報が正常に取得されていないと判定された場合、即ち、所定の数の特徴点Ａの位置情報を取得することができなかった場合、ステップＳ１に戻り、上述した処理を繰り返す。
【００７９】
一方、ステップＳ４において、位置情報が正常に取得されたと判定された場合、即ち、所定の数の特徴点Ａの位置情報を取得することができた場合、ユーザ情報取得部１６は、取得した位置情報を、ユーザ情報とし、そのユーザ情報を表すユーザデータを、制御部１７に供給して、ステップＳ５に進む。
【００８０】
ステップＳ５において、制御部１７は、ステップＳ４でユーザ情報取得部１６から供給されるユーザデータをテンプレートとし、ユーザＩＤを付加して、記憶部１９に記憶（保存）させる。
【００８１】
ステップＳ６において、制御部１７は、ユーザから制御の情報が入力されたかどうか、即ち操作部１８から、ユーザの制御の情報の入力操作に対応する操作データが供給されたかどうかを判定する。
【００８２】
具体的には、図４Ａと図４Ｂで説明したように、制御部１７は、ユーザにより自分自身の指紋の情報の登録が指令され、ユーザ情報取得部１６からユーザデータが供給された場合、そのユーザデータに対して、記録データを再生する場合における処理の制限の情報を設定するための画面を、LCD２３に表示させる。ユーザは、その画面において、操作部１８を操作することにより、制限の情報を設定することができる。操作部１８は、ユーザにより制限の情報の設定（入力）の操作が行われた場合、その入力の操作を受け付け、入力の操作に対応する操作データを、制御部１７に供給する。制御部１７は、操作部１８から、ユーザの制御の情報の入力操作に対応する操作データが供給されたかどうかを判定する。
【００８３】
ステップＳ６において、ユーザから制限の情報が入力されたと判定された場合、制御部１７は、ステップＳ７に進み、制御部１７は、ステップＳ５でテンプレートとして記憶部１９に記憶されたユーザデータに対応付けて、ユーザから入力された制限の情報を表す制限データを記憶させ、処理を終了する。
【００８４】
次に、図９を参照して、図１のデジタルビデオテープレコーダ１が撮影を行う撮影処理を説明する。この撮影処理は、例えば、ユーザが操作部１８を操作し、撮影の指令を行ったとき、開始される。
【００８５】
ステップＳ２１において、CCD１１は、被写体の撮影を行い、その結果得られるフレーム単位の画像信号を記録データ合成部１３に供給して、ステップＳ２２に進む。
【００８６】
ステップＳ２２において、マイクロフォン１２は、ステップＳ２１でCCD１１が撮影した時点のデジタルビデオテープレコーダ１の周囲の音声を取得し、その音声の音声信号を、記録データ合成部１３に供給して、ステップＳ２３に進む。
【００８７】
ステップＳ２３において、ユーザ情報取得部１６は、図８のステップＳ１と同様に、撮影者であるユーザの指紋の画像を取得し、ステップＳ２４に進む。ステップＳ２４において、撮影者の指紋の画像が正常に取得されたかどうかを判定し、撮影者であるユーザの指紋の画像が正常に取得されたと判定された場合、ステップＳ２５に進む。
【００８８】
ステップＳ２５において、ユーザ情報取得部１６は、図８のステップＳ３と同様に、ステップＳ２１で取得した指紋の画像の中から、特徴点Ａ（図３）を抽出する。そして、ユーザ情報取得部１６は、抽出した特徴点Ａの相対的な位置を表す位置情報を取得し、ステップＳ２６に進む。
【００８９】
ステップＳ２６において、ユーザ情報取得部１６は、図８のステップＳ４と同様に、位置情報が正常に取得されたかどうかを判定し、位置情報が正常に取得されたと判定した場合、その位置情報を、撮影者であるユーザのユーザ情報とし、そのユーザ情報を表すユーザデータを、制御部１７に供給して、ステップＳ２７に進む。
【００９０】
ステップＳ２７において、制御部１７は、図８のステップＳ５でテンプレートとして記憶されたユーザデータを、記憶部１９から読み出し、ステップＳ２６でユーザ情報取得部１６から供給されたユーザデータと、テンプレートのユーザデータとを比較することにより、撮影者を識別する。
【００９１】
ステップＳ２７の処理後は、ステップＳ２８に進み、制御部１７は、ステップＳ２７で比較された結果に基づいて、ステップＳ２４でユーザ情報取得部１６から供給されたユーザデータと合致するテンプレートがあるかどうかを判定し、合致するテンプレートがあると判定した場合、そのテンプレートであるユーザデータに付加されているユーザＩＤを、撮影者データとして、記録データ合成部１３に供給し、ステップＳ２９に進む。
【００９２】
なお、ステップＳ２８において、制御部１７は、ユーザＩＤではなく、ユーザデータを撮影者データとして、記録データ合成部１３に供給してもよい。
【００９３】
ステップＳ２９において、制御部１７は、合致したテンプレートであるユーザデータに対応付けて制限データが記録されているかどうかを判定し、制限データが記録されていると判定した場合、その制限データを記録データ合成部１３に供給して、ステップＳ３０に進む。
【００９４】
ステップＳ３０において、記録データ合成部１３は、ステップＳ２１で供給されたフレーム単位の画像信号とステップＳ２２で供給された音声信号とに対して、A/D変換を行う。記録データ合成部１３は、A/D変換の結果得られるフレーム単位の画像データと音声データ、並びにステップＳ２８で供給された撮影者データとステップＳ２９で供給された制限データを合成し、エンコードして、記録データとして、記録再生部１４の記録部３１に供給する。記録部３１は、記録データ合成部１３からの記録データを変調し、デジタルビデオテープ２に記録させる。
【００９５】
これにより、図５のビデオセクタ６１とオーディオセクタ６２のデータ部には、それぞれ、フレーム単位の画像データと音声データが記録され、ビデオセクタ６１またはオーディオセクタ６２AUXデータ部には、撮影者データと制限データが記録される。即ち、記録部３１は、撮影者データと制限データを、画像データまたは音声データに付加して、デジタルビデオテープ２に記録させる。
【００９６】
一方、ステップＳ２４において、指紋の画像が正常に取得されていないと判定された場合（例えば、ユーザ情報取得部１６からユーザの指が一時的に離れた場合、三脚などが用いられ、ユーザがデジタルビデオテープレコーダ１に触れない場合など）、またはステップＳ２６において、位置情報が正常に取得されていないと判定された場合、即ち撮影者であるユーザのユーザ情報が取得されない場合、ステップＳ３１に進み、ユーザ情報取得部１６は、撮影者のユーザ情報が取得されていないことを表すエラーデータを、制御部１７に供給する。制御部１７は、ユーザ情報取得部１６からのエラーデータを、撮影者データとして、記録データ合成部１３に供給し、ステップＳ３１に進む。
【００９７】
ステップＳ３１において、記録再生部１４の記録部３１は、画像データ、音声データ、および撮影者データであるエラーデータを、記録データとして、デジタルビデオテープ２に記録させる。
【００９８】
なお、撮影者であるユーザのユーザ情報が取得されない場合、ステップＳ３１の処理をスキップして、ステップＳ３２に進むようにしてもよい。即ち、撮影者であるユーザのユーザ情報が取得されない場合、撮影された結果得られる画像データや音声データは、デジタルビデオテープ２に記録されないようにしてもよい。
【００９９】
また、ステップＳ２８において、ステップＳ２６でユーザ情報取得部１６から供給されたユーザデータと合致するテンプレートがないと判定された場合、制御部１７は、ステップＳ２６でユーザ情報取得部１６から供給されたユーザデータを、撮影者データとして、記録データ合成部１３に供給し、ステップＳ３１に進む。
【０１００】
ステップＳ３１において、記録再生部１４の記録部３１は、画像データ、音声データ、および撮影者データであるユーザデータを、記録データとして、デジタルビデオテープ２に記録させる。
【０１０１】
また、ステップＳ２９において、合致したテンプレートであるユーザデータに対応付けて制限データが記録されていないと判定された場合、ステップＳ３１に進み、記録再生部１４の記録部３１は、画像データ、音声データ、および撮影者データであるユーザＩＤを、記録データとして、デジタルビデオテープ２に記録させる。
【０１０２】
ステップＳ３０とＳ３１の処理後は、ステップＳ３２に進み、制御部１７は、撮影を終了するかどうか、即ち、例えば、ユーザが操作部１８を操作することにより撮影の終了を指令したかどうかを判定する。ステップＳ３２において、撮影を終了しないと判定された場合、制御部１７は、ステップＳ２１に戻り、上述した処理を繰り返す。即ち、デジタルビデオテープレコーダ１では、撮影時に、CCD１１がフレーム単位の画像信号を得るタイミングで、撮影者であるユーザのユーザデータが取得される。一方、ステップＳ３２において、撮影を終了すると判定された場合、処理は終了する。
【０１０３】
なお、上述した図９では、CCD１１がフレーム単位の画像信号を得るタイミングで、撮影者であるユーザのユーザデータが取得されたが、ユーザデータが取得されるタイミングは、これに限定されない。例えば、ユーザ情報取得部１６が、撮影者の交代を検出し、撮影者の交代が検出されたタイミングで、撮影者であるユーザのユーザデータが取得されるようにしてもよい。この場合、ユーザ情報取得部１６から新たなユーザデータが供給されるまで、制御部１７は、ユーザ情報取得部１６から前回供給されたユーザデータを撮影者データとして記録データ合成部１３に供給する。
【０１０４】
以上のように、図９の撮影処理では、画像データまたは音声データに撮影者データが付加され、記録データとしてデジタルビデオテープ２に記録されるので、例えば、撮影者が限定されている場合（例えば、撮影者が３人家族のうちの誰かに限定されている場合）、デジタルビデオテープ２に記録されている記録データの撮影者データを認識することにより、被写体を推測することができる。即ち、例えば、ユーザが、父親と母親と子供の３人家族である場合、デジタルビデオテープに記録されている記録データの撮影者データが、父親を表しているとき、ユーザである３人家族は、その撮影者データが父親であると認識することにより、被写体が母親または子供であると推測することができる。
【０１０５】
次に、図１０を参照して、図１のデジタルビデオテープレコーダ１がデジタルビデオテープ２から記録データを再生して、画像や音声を出力する再生出力処理を説明する。この再生出力処理は、例えば、ユーザが操作部１８を操作し、画像や音声の出力を指令したとき、開始される。
【０１０６】
ステップＳ４１乃至Ｓ４４の処理は、図８のステップＳ１乃至Ｓ４の処理と同様であり、説明は繰り返しになるので、省略する。
【０１０７】
ステップＳ４５において、記録再生部１４の再生部３２は、ヘッド１５を介して、デジタルビデオテープ２に記録されている記録データを再生し（読み出し）、再生データとして、再生データ分離部２１に供給する。再生データ分離部２１は、記録再生部１４からの再生データを復調し、デコードして、音声データ、画像データ、撮影者データ、および制限データに分離する。再生データ分離部２１は、撮影者データと制限データを制御部１７に供給する。
【０１０８】
ステップＳ４５の処理後は、ステップＳ４６に進み、制御部１７は、再生出力が制限されているかどうか、即ちステップＳ４５で再生データ分離部２１から再生出力制限の「不許可」を表す制限データが供給されたかどうかを判定し、再生出力が制限されていると判定した場合、即ち再生出力制限の「不許可」を表す制限データが供給されたと判定した場合、ステップＳ４７に進む。
【０１０９】
ステップＳ４７において、制御部１７は、ステップＳ４５で供給された撮影者データが、ユーザＩＤであるかどうかを判定し、撮影者データが、ユーザＩＤであると判定された場合、ステップＳ４８に進む。
【０１１０】
ステップＳ４８において、制御部１７は、記憶部１９から、撮影者データであるユーザＩＤと同一のユーザＩＤが付加されているユーザデータを読み出し、ステップＳ４９に進む。
【０１１１】
ステップＳ４９において、制御部１７は、ステップＳ４４でユーザ情報取得部１６から供給されたユーザデータと、ステップＳ４８で記憶部１９から読み出されたユーザデータとが合致（一致）するかどうかを判定し、ユーザ情報取得部１６からのユーザデータと、記憶部１９から読み出されたユーザデータとが合致すると判定した場合、ステップＳ５０に進む。
【０１１２】
一方、ステップＳ４７において、撮影者データが、ユーザＩＤではないと判定された場合、即ち、撮影者データが、ユーザデータであると判定された場合、ステップＳ４８をスキップして、ステップＳ４９に進み、制御部１７は、ステップＳ４４でユーザ情報取得部１６から供給されたユーザデータと、撮影者データであるユーザデータとが合致するかどうかを判定し、合致すると判定した場合、ステップＳ５０に進む。
【０１１３】
ステップＳ５０において、制御部１７は、画像や音声の出力を指令したユーザが、撮影者データが表すユーザである、即ち画像や音声の出力を指令したユーザが、その画像を撮影した撮影者であると判定し、画像や音声の出力を許可する。即ち、制御部１７は、再生データ分離部２１に、画像と音声を出力させる。
【０１１４】
具体的には、再生データ分離部２１は、ステップＳ４５で分離した音声データと画像データをD/A（Digital/Analog）変換し、アナログ信号である音声信号をスピーカ２２に供給し、画像信号をLCD２３に供給する。スピーカ２２は、再生データ分離部２１からの音声信号を音声として出力する。LCD２３は、再生データ分離部２１からの画像信号を、動画像として表示(出力)する。
【０１１５】
一方、ステップＳ４９において、ステップＳ４４でユーザ情報取得部１６から供給されたユーザデータと、ステップＳ４８で記憶部１９から読み出されたユーザデータとが合致しないと判定された場合、即ち画像や音声の出力を指令したユーザが、その画像を撮影した撮影者ではないと判定された場合、ステップＳ５１に進み、制御部１７は、ステップＳ４５で分離された画像データと音声データに対応する画像と音声を出力しない。即ち、例えば、制御部１７は、デジタルビデオテープ２を早送りする。
【０１１６】
このように、ステップＳ５１では、再生出力が制限されている場合、画像データと音声データに対応する画像と音声の出力を、撮影者以外のユーザが指令するとき、画像や音声は出力されない。従って、撮影者以外のユーザが、その撮影者が撮影した画像と、対応する音声とを出力することを防止することができる。その結果、撮影者の著作権とプライバシーを保護することができる。
【０１１７】
なお、ステップＳ５１では、制御部１７は、デジタルビデオテープ２を早送りしたが、デジタルビデオテープ２を巻き戻しして、画像と音声を出力しないようにすることもできる。
【０１１８】
一方、ステップＳ４６において、再生出力が制限されてないと判定された場合、即ちステップＳ４５で再生データ分離部２１から再生出力制限の「許可」を表す制限データが供給された場合、ステップＳ４７乃至Ｓ４９をスキップして、ステップＳ５０に進み、制御部１７は、再生データ分離部２１に画像や音声の出力を行わせる。即ち、再生出力が制限されていない画像データと音声データに対応する画像と音声を、すべてのユーザが出力させることができる。
【０１１９】
ステップＳ５０とＳ５１の処理後は、ステップＳ５２に進み、制御部１７は、操作部１８からの操作データに基づいて、再生を終了するかどうかを判定する。具体的には、制御部１７は、操作部１８から、ユーザからの表示の終了を指令するための入力操作に対応する操作データが入力されたかどうかを判定する。
【０１２０】
ステップＳ５２において、再生を終了しないと判定された場合、ステップＳ４５に戻り、上述した処理が繰り返される。その結果、例えば、ステップＳ４６乃至Ｓ４９、およびステップＳ５１の処理が行われた場合、即ち、再生出力が制限されており、画像と音声の出力を、その画像の撮影者以外のユーザが指令した場合、再生出力が制限されていない再生データが再生されるまで、画像や音声は出力されない。即ち、再生出力が制限されていない再生データが検索される。一方、ステップＳ５２において、再生を終了すると判定された場合、処理は終了する。
【０１２１】
なお、図１０では、画像と音声を出力する再生出力処理について説明したが、再生データの編集を行う編集処理や、再生データのコピーを行うコピー処理も、同様に行われる。これにより、例えば、編集が制限されている場合、撮影者以外のユーザにより、画像や音声が誤って消去されたり、上書きされることを防止することができる。
【０１２２】
次に、図１１を参照して、図２のＰＣ４が、デジタルビデオテープレコーダ１から送信されてきた再生データを、記憶部４８に記録させる記録処理を説明する。この記録処理は、例えば、ユーザが入力部４６を操作することにより、デジタルビデオテープレコーダ１からの再生データの取得を要求したとき、開始される。
【０１２３】
このとき、CPU４１は、i.LINK４９と接続線３を介して、記録データの再生を指令する制御データを、デジタルビデオテープレコーダ１に送信する。デジタルビデオテープレコーダ１の制御部１７は、その制御データに基づいて、記録再生部１４の再生部３２を制御し、デジタルビデオテープ２に記録されている記録データを再生させる。再生部３２は、再生した記録データを再生データとして、i.LINK２０と接続線３を介して送信する。CPU４１は、デジタルビデオテープレコーダ１から送信されてくる再生データを、一時的にRAM４３に記憶させる。
【０１２４】
ステップＳ６１の処理後は、ステップＳ６２に進み、CPU４１は、RAM４３に記憶されているデジタルビデオテープレコーダ１から送信されてきた再生データを、フレーム単位で読み出し(再生し)、ステップＳ６２において、CPU４１は、デジタルビデオテープ２から再生されたすべての再生データを、記憶部４８に記録したかどうかを判定し、すべての再生データを記憶部４８に記録していないと判定した場合、ステップＳ６３に進む。
【０１２５】
ステップＳ６３において、CPU４１は、いまの再生対象のフレームの再生データの撮影者データと、前回の再生対象のフレーム(直前のフレーム)の再生データの撮影者データとが同一であるかどうかを判定し、同一であると判定した場合、ステップＳ６１に戻り、次のフレームを再生対象として再生を行い、上述した処理を繰り返す。なお、いまの再生対象のフレームが、最初のフレームである場合は、CPU４１は、ステップＳ６３の処理を行わない。
【０１２６】
一方、ステップＳ６３において、いまの再生対象のフレームの再生データの撮影者データと、前回の再生対象のフレーム(直前のフレーム)の再生データの撮影者データとが同一ではないと判定された場合、ステップＳ６４に進み、CPU４１は、前回のステップＳ６４の処理後から、いままでに再生対象となったフレームの再生データを、１つのファイルとして、記憶部４８に記録させる。なお、最初のステップＳ６４の処理では、最初のフレームから、いま再生対象となっているフレームまでの再生データを、１つのファイルとして、記憶部４８に記録させる。
【０１２７】
このように、ステップＳ６４では、CPU４１は、再生データの撮影者データを用いて、撮影者データが同一の再生データを、１つのファイルとして記録させるので、撮影者ごとの再生データのファイルを作成することができる。
【０１２８】
また、ステップＳ６２において、デジタルビデオテープ２から再生されたすべての再生データを、記憶部４８に記録したと判定された場合、処理は終了する。
【０１２９】
図１２は、本発明を適用したデジタルビデオテープレコーダの第２実施の形態の構成例を示すブロック図である。
【０１３０】
図１２のデジタルビデオテープレコーダ１０１では、ユーザ情報取得部１１１が、ユーザによるユーザ情報の入力を受け付けるユーザ設定ダイヤルにより構成される。この場合、図１のユーザ情報取得部１６に比べて、ユーザ情報取得部１１１の構成を簡単にし、デジタルビデオテープレコーダ１のコストを低減することができる。なお、図１と同一の符号を付したものは、図１のそれらと同一のものであり、説明は繰り返しになるので省略する。
【０１３１】
ユーザ情報取得部１１１は、ユーザによるユーザ情報の入力操作（選択操作）を受け付け、そのユーザ情報を表すユーザデータを、制御部１１２に供給する。
【０１３２】
制御部１１２は、図１の制御部１７と同様に、記録再生部１４からの垂直同期信号に同期して、これに対応する制御データを記録再生部１４に供給する。また、制御部１１２は、操作部１８からの操作データや、ＰＣ４から接続線３およびi.LINK２０を介して供給される制御データに基づいて、デジタルビデオテープレコーダ１全体の動作を制御する。さらに、制御部１７は、操作部１８からの操作データに基づいて、制限データを生成し、記憶部１９に記憶させる。制御部１７は、ユーザ情報取得部１１１からのユーザデータ、並びに記憶部１９に記憶されているユーザデータおよび制限データに基づいて、制限データを記録データ合成部１３に供給する。
【０１３３】
制御部１１２は、ユーザ情報取得部１１１からのユーザデータを、記憶部１９に記憶させる。また、制御部１１２は、ユーザ情報取得部１１１から供給される撮影者であるユーザのユーザデータを、撮影者を表す撮影者データとして、記録データ合成部１３に供給する。また、制御部１１２は、ユーザ情報取得部１１１から供給されるユーザのユーザデータ、並びに再生データ分離部２１から供給される撮影者データおよび制限データに基づいて、記録データを再生する場合における処理の実行を許可したり、不許可にする。
【０１３４】
次に、図１３を参照して、図１２のユーザ情報取得部１１１を構成するユーザ設定ダイヤルを説明する。なお、図１３のユーザ設定ダイヤル１２１は、例えば、図１２のデジタルビデオテープレコーダ１０１の図示せぬ筐体の任意の位置に配置される。
【０１３５】
図１３に示すように、ユーザ設定ダイヤル１２１は、矢印１２２を有している。例えば、ユーザが、デジタルビデオテープレコーダ１０１を使用する前に、ユーザには、ユーザＡ乃至Ｅのいずれかが割り当てられている。ユーザは、矢印１２２を、自分自身に割り当てられたユーザＡ乃至Ｅを表すユーザ情報を入力するための位置１２３Ａ乃至１２３Ｅに合わせる。ユーザ情報取得部１１１は、矢印１２２が合わされた位置１０３Ａ乃至１０３Ｅに対応するユーザＡ乃至Ｅを表すユーザ情報の入力を受け付け、そのユーザ情報を表すユーザデータを制御部１１２に供給する。
【０１３６】
例えば、撮影が行われている場合、制御部１１２は、ユーザ情報取得部１１１からのユーザデータを、撮影者データとして記録データ合成部１３に供給する。
【０１３７】
次に、図１４を参照して、図１２のデジタルビデオテープレコーダ１０１がユーザ情報を登録するユーザ登録処理を説明する。このユーザ登録処理は、例えば、ユーザが、操作部１８を操作し、自分自身の情報の登録を指令したとき、開始される。
【０１３８】
ステップＳ８１において、制御部１１２は、ユーザ情報取得部１１１から、ユーザデータを取得する。具体的には、ユーザ情報取得部１１１は、図１３で説明したように、矢印１２２が合わされた位置１０３Ａ乃至１０３Ｅに対応するユーザＡ乃至Ｅを表すユーザ情報の入力を受け付け、そのユーザ情報を表すユーザデータを制御部１１２に供給する。制御部１１２は、ユーザ情報取得部１１１からユーザデータを取得する。
【０１３９】
ステップＳ８１の処理後は、ステップＳ８２に進み、制御部１１２は、ステップＳ８１でユーザ情報取得部１１１から供給されるユーザデータを、記憶部１９に記憶させ、ステップＳ８３に進む。
【０１４０】
ステップＳ８３において、制御部１１２は、図８のステップＳ６と同様に、ユーザから制御の情報が入力されたかどうかを判定し、ユーザから制限の情報が入力されていないと判定した場合、処理を終了する。
【０１４１】
一方、ステップＳ８３において、ユーザから制限の情報が入力されたと判定された場合、ステップＳ８４に進み、制御部１１２は、図８のステップＳ７と同様に、ステップＳ８２で記憶部１９に記憶されたユーザデータに対応付けて、ユーザから入力された制限の情報を表す制限データを記憶させ、処理を終了する。
【０１４２】
次に、図１５を参照して、図１２のデジタルビデオテープレコーダ１０１が撮影を行う撮影処理を説明する。この撮影処理は、例えば、ユーザが操作部１８を操作し、撮影の指令を行ったとき、開始される。
【０１４３】
ステップＳ１０１において、CCD１１は、図９のステップＳ２１と同様に、被写体の撮影を行い、その結果得られるフレーム単位の画像信号を記録データ合成部１３に供給して、ステップＳ１０２に進む。
【０１４４】
ステップＳ１０２において、マイクロフォン１２は、図９のステップＳ２２と同様に、ステップＳ１０１でCCD１１が撮影した時点のデジタルビデオテープレコーダ１０１の周囲の音声を取得し、その音声の音声信号を、記録データ合成部１３に供給して、ステップＳ１０３に進む。
【０１４５】
ステップＳ１０３において、制御部１１２は、図１４のステップＳ８１と同様に、ユーザ情報取得部１１１から、撮影者であるユーザのユーザデータを取得し、撮影者データとして記録データ合成部１３に供給して、ステップＳ１０４に進む。
【０１４６】
ステップＳ１０４において、制御部１１２は、記憶部１９に、ステップＳ１０３で取得されたユーザデータと同一のユーザデータに対応付けて制限データが記録されているかどうかを判定し、制限データが記録されていると判定した場合、その制限データを記録データ合成部１３に供給して、ステップＳ１０５に進む。
【０１４７】
ステップＳ１０５において、記録再生部１４の記録部３１は、図９のステップＳ３０と同様に、ステップＳ１０１で供給されたフレーム単位の画像信号に対応する画像データ、ステップＳ１０２で供給された音声信号に対応する音声データ、ステップＳ１０３で供給された撮影者データ、およびステップＳ１０４で供給された制限データを、記録データとして、デジタルビデオテープ２に記録させる。
【０１４８】
また、ステップＳ１０４において、ユーザデータに対応付けて制限データが記録されていないと判定された場合、ステップＳ１０６に進み、記録部３１は、画像データ、音声データ、および撮影者データを、記録データとして、デジタルビデオテープ２に記録させる。
【０１４９】
ステップＳ１０５とＳ１０６の処理後は、ステップＳ１０７に進み、制御部１１２は、図９のステップＳ３２と同様に、撮影を終了するかどうかを判定し、撮影を終了しないと判定した場合、制御部１１２は、ステップＳ１０１に戻り、上述した処理を繰り返す。一方、ステップＳ１０７において、撮影を終了すると判定された場合、処理は終了する。
【０１５０】
次に、図１６を参照して、図１２のデジタルビデオテープレコーダ１０１がデジタルビデオテープ２から記録データを再生して、画像や音声を出力する再生出力処理を説明する。この再生出力処理は、例えば、ユーザが操作部１８を操作し、画像や音声の出力を指令したとき、開始される。
【０１５１】
ステップＳ１２１の処理は、図１４のステップＳ８１と同様に、ユーザ情報取得部１１１から、ユーザのユーザデータを取得し、撮影者データとして記録データ合成部１３に供給して、ステップＳ１２２に進む。
【０１５２】
ステップＳ１２２とＳ１２３の処理は、図１０のステップＳ４５とＳ４６の処理と同様であり、説明は繰り返しになるので、省略する。
【０１５３】
ステップＳ１２４において、制御部１１２は、ステップＳ１２１でユーザ情報取得部１１１から供給されたユーザデータと、ステップＳ１２２で供給された撮影者データとが合致するかどうかを判定し、合致すると判定した場合、ステップＳ１２５に進む。
【０１５４】
一方、ステップＳ１２４において、制御部１１２は、ユーザ情報取得部１１１からのユーザデータと、撮影者データとが合致しないと判定した場合、ステップＳ１２６に進む。
【０１５５】
ステップＳ１２５乃至Ｓ１２７の処理は、図１０のステップＳ５０乃至５２の処理と同様であり、説明は繰り返しになるので、省略する。
【０１５６】
なお、上述した説明では、記録データを記録する記録媒体として、デジタルビデオテープ２を用いたが、画像データや音声データ以外のデータを記録する領域がある記録媒体であればどのようなものを用いてもよい。
【０１５７】
以上のように、図１のデジタルビデオテープレコーダ１と図１２のデジタルビデオテープレコーダ１０１では、撮影時に、所定のタイミングで撮影者であるユーザの情報を取得し、そのユーザの情報を表すユーザデータを、撮影者データとして、撮影した結果得られる画像データに付加して記録させるようにしたので、画像データの撮影者を特定することができる。これにより、例えば、画像データに付加された撮影者データを用いて、その画像データに対する処理を制限することにより、撮影者の著作権やプライバシーを保護することができる。
【０１５８】
また、図１のデジタルビデオテープレコーダ１と図１２のデジタルビデオテープレコーダ１０１では、撮影者データが付加された画像データを記録するデジタルビデオテープ２を再生し、その撮影者データと、ユーザ情報取得部１６（１１１）からのユーザデータとが一致した場合、画像データに対応する画像の表示、画像データの編集、または画像データのコピーを許可するようにしたので、撮影者以外のユーザが、画像データに対応する画像の表示、画像データの編集、または画像データのコピーを行うことを防止することができる。即ち、撮影者の著作権やプライバシーを保護することができる。
【０１５９】
次に、上述した図１のデジタルビデオテープレコーダ１と図１２のデジタルビデオテープレコーダ１０１の一連の処理は、専用のハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１６０】
そこで、図１７は、上述した図１のデジタルビデオテープレコーダ１の一連の処理を実行するプログラムがインストールされるコンピュータの一実施の形態の構成例を示している。なお、図１７では、図１のデジタルビデオテープレコーダ１について説明するが、図１７のデジタルビデオテープレコーダ１０１においても同様である。
【０１６１】
プログラムは、コンピュータに内蔵されている記録媒体としての記憶部２０８やROM２０２に予め記録しておくことができる。
【０１６２】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブルメディア２１２に、一時的あるいは永続的に格納（記録）しておくことができる。このようなリムーバブルメディア２１２は、いわゆるパッケージソフトウエアとして提供することができる。
【０１６３】
なお、プログラムは、上述したようなリムーバブルメディア２１２からコンピュータにインストールする他、ダウンロードサイトから、デジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部２０９で受信し、内蔵する記憶部２０８にインストールすることができる。
【０１６４】
コンピュータは、CPU２０１を内蔵している。CPU２０１には、内部バス２０４を介して、入出力インタフェース２０５が接続されており、CPU２０１は、入出力インタフェース２０５を介して、ユーザによって、操作部１８等で構成される入力部２０６が操作等されることにより指令が入力されると、それにしたがって、ROM２０２に格納されているプログラムを実行する。あるいは、また、CPU２０１は、記憶部２０８に格納されているプログラム、衛星若しくはネットワークから転送され、通信部２０９で受信されて記憶部２０８にインストールされたプログラム、またはドライブ２１１に装着されたリムーバブルメディア２１２から読み出されて記憶部２０８にインストールされたプログラムを、RAM２０３にロードして実行する。
【０１６５】
これにより、CPU２０１は、例えば、ユーザ情報取得部１６により取得されたユーザ情報を表すユーザデータに基づいて、上述した図８乃至図１０のフローチャートにしたがった処理、あるいは上述したブロック図１の記録データ合成部１３、記録再生部１４、制御部１７、再生データ分離部２１などにより行われる処理を行う。そして、CPU２０１は、その処理結果を、必要に応じて、例えば、入出力インタフェース２０５を介して、LCD２３やスピーカ２２等で構成される出力部２０７から出力、あるいは、通信部２０９から送信、さらには、記憶部２０８に記録等させる。また、CPU２０１は、画像データや音声データなどを、入出力インタフェース２０５とドライブ２１０を介して、デジタルビデオテープ２に記録させる。
【０１６６】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１６７】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０１６８】
【図１】本発明を適用したデジタルビデオテープレコーダの第１実施の形態の構成例を示すブロック図である。
【図２】図１のＰＣのハードウェア構成例を示すブロック図である。
【図３】図１のユーザ情報取得部がユーザ情報を取得する方法について説明する図である。
【図４】図１の操作部からの操作データに基づいて、制御部が生成する制限データについて説明する図である。
【図５】図５を参照して、図１のデジタルビデオテープの構造を説明する図である。
【図６】デジタルビデオテープのシステムデータを記録するシステムデータ部の構成を示す図である。
【図７】システムデータのデータ構造を示す図である。
【図８】ユーザ登録処理を説明するフローチャートである。
【図９】撮影処理を説明するフローチャートである。
【図１０】画像や音声を出力する再生出力処理を説明するフローチャートである。
【図１１】再生データを、記憶部に記録させる記録処理を説明するフローチャートである。
【図１２】本発明を適用したデジタルビデオテープレコーダの第２実施の形態の構成例を示すブロック図である。
【図１３】図１２のユーザ情報取得部を構成するユーザ設定ダイヤルを説明する図である。
【図１４】ユーザ登録処理を説明するフローチャートである。
【図１５】撮影を行う撮影処理を説明するフローチャートである。
【図１６】画像や音声を出力する再生出力処理を説明するフローチャートである。
【図１７】本発明を適用したコンピュータの一実施の形態の構成例を示すブロック図である。
【符号の説明】
【０１６９】
１  デジタルビデオテープレコーダ，  ２  デジタルビデオテープ，  １１  CCD,  １２  マイクロフォン，  １３  記録データ合成部，  １４  記録再生部，  １５  ヘッド，  １６  ユーザ情報取得部，  １７  制御部，  １８  操作部，  １９  記憶部，  ２０  i.Link，  ２１  再生データ分離部，  ２２  スピーカ，  ２３  LCD，  ３１  記録部，  ３２  再生部，  １０１  デジタルビデオテープレコーダ，  １１１  ユーザ情報取得部，  １１２  制御部，  ２０１  CPU,  ２０２  ROM,  ２０３  RAM，  ２０６  入力部，  ２０７  出力部，  ２０８  記憶部，  ２０９  通信部，  ２１０  ドライブ，  ２１１  ドライブ，  ２１２  リムーバブルメディア
【図１】
2006180184.tif 000003
【図２】
2006180184.tif 000004
【図３】
2006180184.tif 000005
【図４】
2006180184.tif 000006
【図５】
2006180184.tif 000007
【図６】
2006180184.tif 000008
【図７】
2006180184.tif 000009
【図８】
2006180184.tif 000010
【図９】
2006180184.tif 000011
【図１０】
2006180184.tif 000012
【図１１】
2006180184.tif 000013
【図１２】
2006180184.tif 000014
【図１３】
2006180184.tif 000015
【図１４】
2006180184.tif 000016
【図１５】
2006180184.tif 000017
【図１６】
2006180184.tif 000018
【図１７】
2006180184.tif 000019